(57)【要約】      （修正有）【課題】日光を遮るのみならず利用者に涼感も与えることのできる日傘を提供する。【解決手段】日傘１は、放射状に配置された複数の親骨４，４，４，・・・が中棒２に開閉自在に枢支され、親骨４，４，４，・・・に傘布８が張り渡されて取り付けられた傘であって、複数の親骨４，４，４，・・・の下方位置に張り渡した下部布１３を傘布８に取り付けることにより、傘布８と下部布１３との間に空間部１７を形成し、空間部１７と外部とを連通する上部通気孔１２を傘布８に形成し、空間部１７と外部とを連通する下部通気孔１８を下部布１３に形成した構成にしてある。下部布１３は遮光性を有している。下部布１３の空間部１７側の面は遮光性を有するアルミニウム蒸着膜で被覆されている。傘布８は光透過性を有している。【選択図】図４
0003165755.tif 000002
【実用新案登録請求の範囲】
【請求項１】
放射状に配置された複数の親骨が中棒に開閉自在に枢支され、前記複数の親骨に傘布が張り渡されて取り付けられた日傘において、
前記複数の親骨の下方位置に張り渡した下部布を傘布に取り付けることにより、傘布と下部布との間に空間部を形成し、当該空間部と外部とを連通する上部通気孔を傘布に形成し、前記空間部と外部とを連通する下部通気孔を下部布に形成したことを特徴とする日傘。
【請求項２】
遮光性を有する下部布が傘布に取り付けられている請求項１に記載の日傘。
【請求項３】
下部布の空間部側の面が、光反射膜で被覆されている請求項１に記載の日傘。
【請求項４】
光透過性を有する傘布が複数の親骨に取り付けられている請求項２または請求項３に記載の日傘。
【考案の詳細な説明】
【技術分野】
【０００１】
本考案は、利用者に心地よさを付与する日傘に関するものである。
【背景技術】
【０００２】
地球温暖化が進む傾向にあるなか、今後ますます厳しい酷暑になるものと思われるが、２０１０年の夏は特に厳しい酷暑であり、女性はもとより若い男性までもが夏場の外出時に日傘を使用して夏の直射日光を避ける事態となっていた。
このときに使用される日傘としては、例えば下記の特許文献１に記載されたものが知られている。かかる日傘を図９に示す。図示の日傘５１では、上部に上ロクロ３を有する中棒２の下端部に手元１０が取り付けられている。上ロクロ３には、放射状に配置された複数の親骨４，４，４，・・・が開閉自在に枢支され、これらの上面に傘布８Ａが張り渡されている。傘布８Ａの中央部は上ロクロ３に固定されており、その辺部８ａは、親骨４，４，４，・・・の先端に装着された露先９，９，９，・・・に縫糸などで取り付けられている。下ロクロ７Ａは中棒２に上下移動自在に設けられており、受骨５，５，５，・・・の一端部を上下揺動自在に枢支している。受骨５，５，５，・・・の他端部は、親骨４，４，４，・・・に取り付けられたダボ６，６，６，・・・に上下揺動自在に枢支されている。そして、傘布８Ａの上面には、雨天兼用とするための雨用布が重ねられている。
【先行技術文献】
【特許文献】
【０００３】
【特許文献１】特開２００４−３５０８５０号公報
【考案の概要】
【考案が解決しようとする課題】
【０００４】
しかしながら、上記した従来の日傘５１は、例え傘布を二重にしていても日光を遮る作用だけしか持ち合わせていない。そのために、傘の下方に熱がこもりやすく、酷暑の際には短時間で利用者の体温が上がってしまい、熱中症につながるおそれがあった。
【０００５】
本考案は、上記した従来の問題点に鑑みてなされたものであって、日光を遮るのみならず利用者に涼感も与えることのできる日傘の提供を目的とする。
【課題を解決するための手段】
【０００６】
上記目的を達成するために、本考案に係る日傘は、放射状に配置された複数の親骨が中棒に開閉自在に枢支され、前記複数の親骨に傘布が張り渡されて取り付けられた日傘において、前記複数の親骨の下方位置に張り渡した下部布を傘布に取り付けることにより、傘布と下部布との間に空間部を形成し、当該空間部と外部とを連通する上部通気孔を傘布に形成し、前記空間部と外部とを連通する下部通気孔を下部布に形成した構成にしてある。
【０００７】
また、前記構成において、遮光性を有する下部布が傘布に取り付けられているものである。
【０００８】
そして、前記した各構成において、下部布の空間部側の面が、遮光性を有するアルミニウム膜で被覆されているものである。
【０００９】
更に、前記した各構成において、光透過性を有する傘布が複数の親骨に取り付けられているものである。
【考案の効果】
【００１０】
本考案に係る日傘によれば、複数の親骨の下方位置に張り渡した下部布と、傘布との間に空間部を形成し、傘布に上部通気孔を形成し、下部布に下部通気孔を形成したので、例えば真夏の暑い日なたで用いると、ふりかかった直射日光の熱が傘布を加熱する。これにより、空間部内の空気が加熱されて昇温し、外気との間に温度差が生じる。このような昇温により膨張化および軽量化した空気は傘布の上部通気孔から傘上方へ自然に流れ出す。それに伴って、傘下方の外気が下部布の下部通気孔から空間部内に自動的に吸い込まれる。その結果、傘下方の外部空間で空気の流動が生じて利用者に風を送ることとなり、心地よい涼感を与えることができる。すなわち、本考案は、日光を遮るだけであった従来の日傘を利用しながら、直射日光の熱を吸収して利用するという逆転の発想により、動力を用いることなく、涼感を得るようにしたものである。
【００１１】
また、遮光性を有する下部布が傘布に取り付けられているものでは、例え日光が傘布を透過したとしても下部布で遮られるから、利用者に届く日光をなくすことができ、紫外線対策を補完するとともに傘下方の温度上昇を防ぐことができる。
【００１２】
そして、下部布の空間部側の面が光反射膜で被覆されているものでは、例えば上部通気孔を通って又は傘布を透過して空間部内に入った日光が下部布の光反射膜で反射し、反射した日光が空間部内の空気の加熱に利用されるから、空気加熱効率が高くなる。これにより、空間部内の空気を迅速に昇温させて、傘下空間の外気の流動を促進することができる。反面、紫外線はもとより赤外線も下部布を透過して傘下空間へ届くということがないので、傘下空間の温度が高くならず、更なる涼感を得ることができる。
【００１３】
更に、光透過性を有する傘布が複数の親骨に取り付けられているものでは、傘布を透過した日光を空間部内に取り込むことができ、遮光性または光反射性を有する下部布の機能とも併せて、空間部内における空気加熱効率をよりいっそう高めることができる。
【図面の簡単な説明】
【００１４】
【図１】本考案の一実施形態に係る日傘の正面図である。
【図２】前記日傘の平面図である。
【図３】図１におけるＡ−Ａ線矢視断面で示す底面図である。
【図４】前記日傘の正断面図である。
【図５】前記日傘の各部を示し、（ａ）は図４における矢視部Ｆを示す一部断面を含む部分拡大図、（ｂ）は図４における矢視部Ｅを示す部分拡大断面図、（ｃ）は前記日傘の下部布を示す部分拡大断面図、（ｄ）は前記日傘の下ロクロを示す部分拡大断面図である。
【図６】前記日傘の使用状態を示す状態説明図である。
【図７】本考案の別の実施形態に係る日傘の一部断面を含む底面図である。
【図８】本考案の他の実施形態に係る日傘の一部断面を含む底面図である。
【図９】従来の日傘を斜め下方から見上げた斜視図である。
【考案を実施するための形態】
【００１５】
本考案の実施形態を図面に基づいて説明する。尚、以下に述べる実施形態は本考案を具体化した一例に過ぎず、本考案の技術的範囲を限定するものでない。図１は本考案の一実施形態に係る日傘の正面図、図２は前記日傘の平面図、図３は図１におけるＡ−Ａ線矢視断面で示す底面図、図４は前記日傘の正断面図である。但し、図９に示した従来の日傘５１と同一の構成要素には、同一の符号を付すとともにその詳細な説明を省略することがあり、従来の日傘５１と同様の機能を有する構成要素には同種の符号を付している。
【００１６】
各図において、この実施形態に係る日傘１は、棒上部に上ロクロ３が固定された中棒２を備えている。中棒２の下端部には手元１０が取り付けられ、中棒２の上端部には石突１１が取り付けられている。上ロクロ３には、放射状に配置された複数の親骨４，４，４，・・・が開閉自在に枢支されている。複数の親骨４，４，４，・・・の上面には傘布８が張り渡されており、傘布８の中央部は上ロクロ３と石突１１に固定されている。傘布８外周の辺部８ａは、親骨４，４，４，・・・の先端に装着された露先９，９，９，・・・に縫糸などで取り付けられている。下ロクロ７は中棒２に上下移動自在に設けられており、受骨５，５，５，・・・の一端部を上下揺動自在に枢支している。受骨５，５，５，・・・の他端部は、親骨４，４，４，・・・の途中に取り付けられたダボ６，６，６，・・・に上下揺動自在に枢支されている。上記の傘布８は熱を通し空気を通しにくいものであれば特に限定されず、光は通すものでも通さないものでも構わない。この例では、例えば光透過性に富むポリエステル製の薄手の織布で傘布８を構成している。傘布８の外面の色は特に限定されないが、例えば白、シルバーであれば日光の一部を反射させるし、黒色であれば太陽熱を吸収して空間部１７内の空気を効率よく加熱する。
【００１７】
複数の親骨４，４，４，・・・の下方位置には、下部布１３が張り渡されている。この下部布１３は傘布８と同様の平面形状に形成されており、傘布８の辺部８ａと下部布１３の辺部とを全周にわたって縫着することにより、袋状に形成されている。傘布８と下部布１３との間の袋内は空間部１７となっている。傘布８の平面中央部の周囲には、空間部１７と外部とを連通する上部通気孔１２，１２，１２，・・・が複数形成されている。下部布１３の平面中央部の周囲には、空間部１７と傘下方の外部とを連通する下部通気孔１８，１８，１８，・・・が複数形成されている。上記の下部布１３は、熱と光を遮断するとともに空気を通しにくいものであれば特に限定されないが、例えばアルミニウム薄膜を有する積層布を用いた。下部布１３の下面の色は特に限定されないが、例えば黒色にすれば、路面で反射した紫外線が下部布１３の黒い下面に吸収されるので、傘内がまぶしくならず、周囲の見通しもよくなる。
【００１８】
そして、傘布８の辺部８ａは、図５（ａ）に示すように、もともと折り返されて縫糸１４で縫い付けられている。そして、傘布８の辺部８ａに、下部布１３の辺部が別の縫糸１４で共縫いされている。これにより、下部布１３と傘布８とが袋状に形成される。次に、露先９に対する傘布８および下部布１３の取り付け状態を図５（ｂ）に示す。露先９の末端部には装着穴１６が形成されており、この装着穴１６に親骨４が嵌め付けられて露先９に固定されている。傘布８の先端部はもともと露先９の係止用穴１５に縫糸１４で留められているが、この係止用穴１５を利用して下部布１３の先端部も別の縫糸１４で留められている。下部布１３は遮光性を有する軽量・軟質の積層布であり、図５（ｃ）に示すように、金属と比べて熱を通しにくい例えばポリエステル製の極薄織布などから成る基布１９と、基布１９における空間部１７側に配置される面にスパッタリング手法などで蒸着されたアルミニウム蒸着膜２０と、アルミニウム蒸着膜２０の上面に積層された例えばポリエチレン製の合成樹脂膜２１とから積層体として構成されている。アルミニウム蒸着膜２０は光反射膜である。
【００１９】
そして、下ロクロ７は、図５（ｄ）に示すように、上下貫通した軸穴７Ａが円筒状本体に形成されていて、この軸穴７Ａに中棒２が摺動自在に通されている。下ロクロ７の上部には、受骨５の端部を支持するためのヒンジ用溝２２，２２，２２，・・・が周方向に複数個設けられている。下ロクロ７の各ヒンジ用溝２２に装着された受骨５は、その先端穴に通された針金部材２３により上下揺動自在に枢支される。下ロクロ７におけるヒンジ用溝２２の下方位置には、ロクロ全周にわたる周溝２４が形成されている。一方、下部布１３の平面中央部は円孔となっており、この円孔の内周縁は折り返されて円周袋状にされ縫糸１４で袋縫いされている。この円周袋内に針金部材２５が通され周溝２４内で絞られることにより、下部布１３の平面中央部が下ロクロ７に固定される。
【００２０】
本実施形態の日傘１は上記のように構成されている。その作用を図１〜図６を用いて説明する。
この日傘１を真夏の暑い日なたで用いると、ふり注いだ直射日光の熱が傘布８を加熱する。これにより、空間部１７内で日光の熱が蓄積されて空気が昇温し、外気との間に温度差が生じる。このような昇温により膨張化および軽量化した空気は空間部１７内で対流し、その一部が傘布８の上部通気孔１２，１２，１２，・・・から傘上方の外部に自ずと流出する。これに伴って、傘下方の外気が下部布１３の下部通気孔１８，１８，１８，・・・から空間部１７内に自動的に吸い込まれ、空間部１７内で対流しながら温められる。その結果、下部布１３の下方空間２７で外気の流動が生じて、利用者に風が送られる。
【００２１】
上記したように、本実施形態の日傘１によれば、傘下の下方空間２７で自動的に風を発生させられるので、利用者に心地よい涼感を与えることができる。また、下部布１３は遮光性を有しているので、傘布８を透過したり或いは上部通気孔１２，１２，１２，・・・を通過した日光は下部布１３で遮られるから、下方空間２７へ届く光をなくすことができ、下方空間２７での温度上昇を防ぐことができる。そして、下部布１３の空間部１７側の面が光反射膜であるアルミニウム蒸着膜２０で被覆されているので、前記のように空間部１７内に入った日光は下部布１３のアルミニウム蒸着膜２０で反射し、空間部１７内の空気の加熱に利用されるから空気加熱効率が高くなる。これにより、空間部１７内の空気を迅速に昇温させて、下方空間２７での外気の流動を促進することができる。更に、傘布８は光透過性を有しているので、傘布８を透過した日光を空間部１７内に取り込むことができる。従って、遮光性および光反射性を有する下部布１３の機能とも相まって、空間部１７内における空気加熱効率をよりいっそう高めることができる。
【００２２】
加えて、この日傘１は簡素な構造であり安価に構成され得る。また、送風モータおよび電池などを必要とすることなく利用者に風を送れるので経済的であり、送風扇や電池などを備えていないので重くなく軽い。また、日傘１を傾けたときにシンプルな下部布１３と下ロクロ７が見えるだけであり、複雑な構造の親骨４や受骨６などは下部布１３に遮蔽されて外から見えないので、見栄えがよい。
【００２３】
尚、上記の実施形態では、傘布８とほぼ同じ平面形状の下部布１３を用いたが、本考案はそれに限定されるものでない。例えば、図７に示す日傘１Ａのように、傘布８よりも小さな下部布１３Ａを用いても構わない。この下部布１３Ａが傘布８の途中部位で傘布８の下面に縫着されることにより袋状に形成され、袋内は空間部１７Ａとなる。この日傘１Ａによっても、下部布１３Ａの下部通気孔１８，１８，１８，・・・から空間部１７Ａ内へ外気を自動的に吸い込み下方空間２７で風を生じさせるので、利用者に心地よい涼感を与えることができる。
【００２４】
また、上記では、下部布１３，１３Ａでは、それらの中央部周辺に、比較的小径の下部通気孔１８，１８，１８，・・・を複数設けた例を示したが、図８に示した日傘１Ｂも本考案に含まれる。この日傘１Ｂは、日傘１のように傘布８とほぼ同じ大きさの下部布１３Ｂを用い、下部布１３Ｂの平面中央部に、比較的大径の下部通気孔１８Ａが１つ形成されている。この下部通気孔１８Ａにおける内周縁部の複数個所に、紐材２６，２６，２６，・・・の一端部が縫着され、紐材２６，２６，２６，・・・の他端部は、下ロクロ７の周溝２４に針金部材２５で連結される。この日傘１Ｂによっても、下部布１３Ｂの下部通気孔１８Ａから空間部１７内へ外気を自動的に吸い込み下方空間２７で風を起こすので、利用者に心地よい涼感を与えることができる。
【００２５】
そして、上記では、上部通気孔１２，１２，１２，・・・を傘布８の中央部周辺に形成したが、本考案における傘布の上部通気孔は空間部１７，１７Ａ内で昇温した空気を外部に放出できるものであれば十分であり、開口位置および開口形状は上記に限定されるものでない。但し、日傘１，１Ａ，１Ｂのように、傘布８の中央部周辺に上部通気孔１２，１２，１２，・・・を設けた場合は、空間部１７，１７Ａ内で暖まった空気が、上ロクロ３に向かって上向きに傾斜している傘布８の下面に沿って昇りやすく、上部通気孔１２，１２，１２，・・・に集まりやすいので、空気流通効率が高くなり、ひいては下部通気孔１８，１８Ａからの吸い込み、ならびに下方空間２７での空気流通を促して、心地よい涼感を利用者に与えることができる。
【００２６】
一方、下部布１３，１３Ａ，１３Ｂでは、それらの中央部周辺に下部通気孔１８、１８Ａを設けたが、本考案における下部布の下部通気孔は、外部から空間部１７，１７Ａ内に外気を流入し得るものであれば十分であり、それらの開口位置および開口形状は上記に限定されるものでない。但し、図示はしないが、下部布１３，１３Ａ，１３Ｂの外周辺部の近傍位置に下部通気孔を設けた場合は、下部通気孔から空間部１７，１７Ａ内に流入した空気が、上向きに傾斜している傘布８の下面に沿って長い距離を昇ることとなり、その結果、空気の上昇温度を高くして流通効率を上げることができる。
また、上記では、下部布１３，１３Ａ，１３Ｂの平面中央部を下ロクロ７に固定しているが、固定させることなく、下部布１３，１３Ａ，１３Ｂの平面中央部に円孔を設け、この円孔を単に中棒２に上下移動自在に通しておくようにしても構わない。
【符号の説明】
【００２７】
１，１Ａ，１Ｂ  日傘
２    中棒
３    上ロクロ
４    親骨
５    受骨
６    ダボ
７    下ロクロ
８    傘布
１２  上部通気孔
１３，１３Ａ，１３Ｂ  下部布
１７，１７Ａ  空間部
１８，１８Ａ  下部通気孔
２０  アルミニウム蒸着膜
２７  下方空間
【図１】
0003165755.tif 000003
【図２】
0003165755.tif 000004
【図３】
0003165755.tif 000005
【図４】
0003165755.tif 000006
【図５】
0003165755.tif 000007
【図６】
0003165755.tif 000008
【図７】
0003165755.tif 000009
【図８】
0003165755.tif 000010
【図９】
0003165755.tif 000011